(57)【要約】【課題】  ダブルインタフェース切り換え式カードリーダーの提供。【解決手段】  ケースの周囲に少なくとも一つのカードスロット、ＵＳＢコネクタ、切り換えスイッチ、シリアルポートが設けられ、該カードスロットがフラッシュメモリカードの挿入接続に供され、ＵＳＢコネクタは第１電子装置と接続され、該シリアルポートは第２電子装置に接続され、カード読み取りコントローラーがケース内部に設けられてカードスロット、ＵＳＢコネクタ、シリアルポート及び切り換えスイッチに接続され、該切り換えスイッチが操作を受けてカード読み取りコントローラーに信号を提供してカード読み取りコントローラーにカードスロット内のフラッシュメモリカードのデータの選択とＵＳＢコネクタとの接続伝送或いはシリアルポートとの接続伝送を制御させ、第１電子装置或いは第２電子装置と選択的にカーデータの接続伝送経路構成とインタフェース切り換えを行なう。【選択図】        図１
0003108898.tif 000002
【実用新案登録請求の範囲】
【請求項１】
ダブルインタフェース切り換え式カードリーダーにおいて、ケースと、ＵＳＢコネクタと、シリアルポートと、切り換えスイッチと、カード読み取りコントローラーと、を具え、
該ケースは周囲にカードスロットが設けられ、該カードスロットがフラッシュメモリカードの挿入接続に供され、
該ＵＳＢコネクタは、ケース周囲に設けられ、該ＵＳＢコネクタは第１電子装置のＵＳＢインタフェースコネクタとの接続に供され、
該シリアルポートは、ケース周囲に設けられ、該シリアルポートは第２電子装置のシリアルインタフェースポートとの接続に供され、
該切り換えスイッチはケース周囲に設けられ、
該カード読み取りコントローラーは、ケースのカードスロット、ＵＳＢコネクタ、シリアルポート及び切り換えスイッチと接続され、該カード読み取りコントローラーは切り換えスイッチの操作により入力される制御信号の電位によりカードスロット内のフラッシュメモリカードのデータの、ＵＳＢコネクタを介して伝送するか或いはシリアルポートを介して伝送するかを切り換えることを特徴とする、ダブルインタフェース切り換え式カードリーダー。
【請求項２】
請求項１記載のダブルインタフェース切り換え式カードリーダーにおいて、ケースのカードスロット内にコネクタが設けられたことを特徴とする、ダブルインタフェース切り換え式カードリーダー。
【請求項３】
請求項１記載のダブルインタフェース切り換え式カードリーダーにおいて、ＵＳＢコネクタに接続される第１電子装置がパーソナルコンピュータとされたことを特徴とする、ダブルインタフェース切り換え式カードリーダー。
【請求項４】
請求項１記載のダブルインタフェース切り換え式カードリーダーにおいて、ＵＳＢコネクタに接続される第１電子装置がノートブック型コンピュータとされたことを特徴とする、ダブルインタフェース切り換え式カードリーダー。
【請求項５】
請求項１記載のダブルインタフェース切り換え式カードリーダーにおいて、シリアルポートに接続される第２電子装置がＰＤＡとされたことを特徴とする、ダブルインタフェース切り換え式カードリーダー。
【請求項６】
請求項１記載のダブルインタフェース切り換え式カードリーダーにおいて、カード読み取りコントローラーが、
コントロールピンを具えたマイクロプロセッサと、
該マイクロプロセッサと該カードスロットに接続されたカード読み取りユニットと、
該マイクロプロセッサとＵＳＢコネクタに接続されたＵＳＢコントロールユニットと、  該マイクロプロセッサと該シリアルポートに接続されたシリアルコントロールユニットと、
を具えたことを特徴とする、ダブルインタフェース切り換え式カードリーダー。
【考案の詳細な説明】
【技術分野】
【０００１】
本考案は一種のダブルインタフェース切り換え式カードリーダーに係り、特にフラッシュメモリカードのデータ読み取り、及び切り換えスイッチを具えてカードデータの読み取りとＵＳＢインタフェース或いはシリアルインタフェースとの選択的接続伝送を行なうカードリーダーの構造に関する。
【背景技術】
【０００２】
コンパクトフラッシュ（登録商標）、ＳＤ、ＭＭＣ、スマートメディア（登録商標）、及びメモリースティック等のフラッシュメモリカードは、広くデジタルデータの保存に応用され、例えば、デジタルカメラにあっては、デジタルカメラで撮影した画像デジタルデータの保存に使用され、ノートブック型コンピュータでは大容量の機動保存メディアとして使用されている。上述の異なるフラッシュメモリカード内のデジタルデータ読み書きの過程では、フラッシュメモリカードリーダーを使用してデータの読み取り或いは伝送を行なわねばならず、カードリーダーはデスクトップ型コンピュータ、ノートブック型コンピュータ、デジタルカメラ、ＰＤＡ或いは携帯電話等、異なる電子装置のデータ伝送インタフェースによる接続を通して、カードリーダー内のフラッシュメモリカードに記録されたデータが各電子装置中に伝送される。
【０００３】
しかし、周知のフラッシュメモリカードのカードリーダーにあって、データの接続、伝送に供されるインタフェースはＵＳＢインタフェースとされ、即ちカードリーダーは単一種の形式のＵＳＢインタフェースのフラッシュメモリカードのデータの接続、伝送しか行なえない。しかしメーカーによって、携帯電話、ＰＤＡはシリアルインタフェースを使用して接続、伝送を行なう必要があり、即ち周知のカードリーダーによりデータの接続、伝送を行なうことはできず、このためシリアルインタフェースを使用する電子装置はカードリーダーを利用してフラッシュメモリカードのデータを読み取ったり伝送することができない。
【考案の開示】
【考案が解決しようとする課題】
【０００４】
本考案の主要な目的は、一種のダブルインタフェース切り換え式カードリーダーを提供することにあり、そのうち、該カードリーダーはＵＳＢコネクタ及びシリアルポートを具え、ＵＳＢコネクタとシリアルポートがＵＳＢインタフェースを使用する第１電子装置或いはシリアルポートを使用する第２電子装置に接続されてデータ伝送に供される。
【０００５】
本考案のもう一つの目的は、一種のダブルインタフェース切り換え式カードリーダーを提供することにあり、そのうち、該カードリーダーはカードスロット、カード読み取りコントローラー及び切り換えスイッチを具え、該カード読み取りコントローラーはカードスロット内に挿入されたフラッシュメモリカードのデータを読み取り、並びに該切り換えスイッチの簡便な切り換え操作により、カード読み取りコントローラーが選択的にカードデータのＵＳＢコネクタ或いはシリアルポートとの接続、伝送を切り換え、これによりＵＳＢインタフェース形式の第１電子装置或いはシリアルインタフェース形式の第２電子装置とフラッシュメモリカードのカードデータと、フラッシュメモリカードのカードデータのダブルインタフェース切り換え接続伝送機能を提供する。
【課題を解決するための手段】
【０００６】
請求項１の考案は、ダブルインタフェース切り換え式カードリーダーにおいて、ケースと、ＵＳＢコネクタと、シリアルポートと、切り換えスイッチと、カード読み取りコントローラーと、を具え、
該ケースは周囲にカードスロットが設けられ、該カードスロットがフラッシュメモリカードの挿入接続に供され、
該ＵＳＢコネクタは、ケース周囲に設けられ、該ＵＳＢコネクタは第１電子装置のＵＳＢインタフェースコネクタとの接続に供され、
該シリアルポートは、ケース周囲に設けられ、該シリアルポートは第２電子装置のシリアルインタフェースポートとの接続に供され、
該切り換えスイッチはケース周囲に設けられ、
該カード読み取りコントローラーは、ケースのカードスロット、ＵＳＢコネクタ、シリアルポート及び切り換えスイッチと接続され、該カード読み取りコントローラーは切り換えスイッチの操作により入力される制御信号の電位によりカードスロット内のフラッシュメモリカードのデータの、ＵＳＢコネクタを介して伝送するか或いはシリアルポートを介して伝送するかを切り換えることを特徴とする、ダブルインタフェース切り換え式カードリーダーとしている。
請求項２の考案は、請求項１記載のダブルインタフェース切り換え式カードリーダーにおいて、ケースのカードスロット内にコネクタが設けられたことを特徴とする、ダブルインタフェース切り換え式カードリーダーとしている。
請求項３の考案は、請求項１記載のダブルインタフェース切り換え式カードリーダーにおいて、ＵＳＢコネクタに接続される第１電子装置がパーソナルコンピュータとされたことを特徴とする、ダブルインタフェース切り換え式カードリーダーとしている。
請求項４の考案は、請求項１記載のダブルインタフェース切り換え式カードリーダーにおいて、ＵＳＢコネクタに接続される第１電子装置がノートブック型コンピュータとされたことを特徴とする、ダブルインタフェース切り換え式カードリーダーとしている。
請求項５の考案は、請求項１記載のダブルインタフェース切り換え式カードリーダーにおいて、シリアルポートに接続される第２電子装置がＰＤＡとされたことを特徴とする、ダブルインタフェース切り換え式カードリーダーとしている。
請求項６の考案は、請求項１記載のダブルインタフェース切り換え式カードリーダーにおいて、カード読み取りコントローラーが、
コントロールピンを具えたマイクロプロセッサと、
該マイクロプロセッサと該カードスロットに接続されたカード読み取りユニットと、
該マイクロプロセッサとＵＳＢコネクタに接続されたＵＳＢコントロールユニットと、  該マイクロプロセッサと該シリアルポートに接続されたシリアルコントロールユニットと、
を具えたことを特徴とする、ダブルインタフェース切り換え式カードリーダーとしている。
【考案の効果】
【０００７】
本考案のダブルインタフェース切り換え式カードリーダーは、ケース、ＵＳＢコネクタ、シリアルポート、切り換えスイッチ及びカード読み取りコントローラーを具えている。そのうち、ケースの周囲に少なくとも一つのカードスロットが設けられ、該カードスロットはフラッシュメモリカードの挿入接続に供され、ＵＳＢコネクタはケース周囲に設けられて第１電子装置と接続され、該シリアルポートはケース周囲に設けられて第２電子装置に接続され、該切り換えスイッチはケース周囲に設けられ、該カード読み取りコントローラーはケース内部に設けられてカードスロット、ＵＳＢコネクタ、シリアルポート及び切り換えスイッチに接続され、該切り換えスイッチが操作を受けてカード読み取りコントローラーに信号を提供してカード読み取りコントローラーにカードスロット内のフラッシュメモリカードのデータの選択とＵＳＢコネクタとの接続伝送或いはシリアルポートとの接続伝送を制御させ、フラッシュメモリカードのデータのＵＳＢインタフェース形式の第１電子装置或いはシリアルインタフェースの第２電子装置との選択的な接続、伝送の機能を達成する。
【考案を実施するための最良の形態】
【０００８】
図１、２及び図３を参照されたい。本考案のダブルインタフェース切り換え式カードリーダー１００は、ケース１０、ＵＳＢコネクタ２０、シリアルポート３０、切り換えスイッチ４０及びカード読み取りコントローラー５０を具えている。そのうち、ケース１０の周囲に少なくとも一つのカードスロット１１が設けられ、該カードスロット１１のケース１０周囲における設置位置は限定されないが、本実施例ではケース１０の後端に設置されている。該カードスロット１１内にはコネクタ１１１（図３）が設けられ、該コネクタ１１１によりカードスロット１１がフラッシュメモリカード２００の挿入、接続に供され、該コネクタ１１１の形式は限定されないが、本実施例では、ＭＩＮＩ  ＳＤ形式フラッシュメモリカードコネクタとされている。その他、コンパクトフラッシュ（登録商標）、ＳＤ、ＭＭＣ、スマートメディア（登録商標）及びメモリースティック等の形式のフラッシュメモリカードコネクタもまた本考案の請求範囲に属する。
【０００９】
上述のＵＳＢコネクタ２０は、ケース１０の周囲に設けられ、該ＵＳＢコネクタ２０のケース１０における設置位置は限定されないが、本実施例ではケース１０の前端に設けられている。該ＵＳＢコネクタ２０は第１電子装置３００のＵＳＢインタフェースコネクタ３１０（図３）の接続に供され、該第１電子装置３００の形式は限定されず、例えばパソコン、ノートブック型コンピュータ等、ＵＳＢインタフェースを具えた電子装置とされる。
【００１０】
上述のシリアルポート３０はケース１０の周囲に設けられ、該シリアルポート３０のケース１０における設置位置は限定されないが、本実施例ではケース１０の一側に設けられている。該シリアルポート３０の形式は限定されないが、本実施例ではＭＩＮＩ  ＲＳ−２３２シリアルポートとされている。該シリアルポート３０は第２電子装置４００のシリアルインタフェースポート４１０との接続に供され（図３）、該第２電子装置４００の形式に制限はなく、例えば、携帯電話、ＰＤＡ等シリアルインタフェースを具えた電子装置とされる。
【００１１】
上述の切り換えスイッチ４０はケース１０の周囲に設けられ、該切り換えスイッチ４０のケース１０における設置位置に制限はないが、本実施例ではケース１０の一側に設けられている。
【００１２】
該カード読み取りコントローラー５０はケース１０内部に設けられ、該カード読み取りコントローラー５０とカードスロット１１のコネクタ１１１、ＵＳＢコネクタ２０、シリアルポート３０及び切り換えスイッチ４０は接続され、該切り換えスイッチ４０の電源端子ＶＣＣとカード読み取りコントローラー５０の必要な作業電源はＵＳＢコネクタ２０に接続された第１電子装置３００のＵＳＢインタフェースコネクタ３１０の電源端子或いはシリアルポート３０に接続された第２電子装置４００のシリアルインタフェースポート４１０の電源端子より供給される。
【００１３】
上述のカード読み取りコントローラー５０はフラッシュメモリカード２００のデータ読み取りとＵＳＢコネクタ２０或いはシリアルポート３０のいずれかを選択的に接続して伝送するのを制御する機能を有する。このカード読み取りコントローラー５０は切り換えスイッチ４０の操作状態に基づいて入力された制御信号によりＵＳＢコネクタ２０とカードデータを接続して伝送するか、或いはシリアルポート３０とカードデータを接続し伝送する。
【００１４】
さらに、図４の本考案のカードリーダー１００中のカード読み取りコントローラー５０の回路ブロック図に示されるように、該カード読み取りコントローラー５０は、マイクロプロセッサ５１、カード読み取りユニット５２、ＵＳＢコントロールユニット５３、及びシリアルコントロールユニット５４を具えている。そのうち、マイクロプロセッサ５１はカード読み取りユニット５２、ＵＳＢコントロールユニット５３及びシリアルコントロールユニット５４に接続され、且つマイクロプロセッサ５１はコントロールピン５１１を具え、該コントロールピン５１１は上述の切り換えスイッチ４０に接続され、該カード読み取りユニット５２は上述のカードスロット１１のコネクタ１１１に接続され、カード読み取りユニット５２がフラッシュメモリカード２００のデータをマイクロプロセッサ５１内に読み込み、該ＵＳＢコントロールユニット５３が上述のＵＳＢコネクタ２０に接続されて、ＵＳＢインタフェース形式データの伝送を制御し、シリアルコントロールユニット５４が上述のシリアルポート３０に接続されて、シリアル形式のデータの伝送を制御する。該マイクロプロセッサ５１はコントロールピン５１１が入力した制御信号電位が高電位か低電位かにより、該カード読み取りユニット５２の読み取るフラッシュメモリカード２００のデータをマイクロプロセッサ５１を通してＵＳＢコントロールユニット５３或いはシリアルコントロールユニット５４のいずれかに接続する。例えば、コントロールピン５１１が高電位の時、マイクロプロセッサ５１がＵＳＢインタフェースデータ接続伝送モードであると判断し、反対に、コントロールピン５１１が低電位の時は、マイクロプロセッサ５１がシリアルインタフェースデータ接続伝送モードであると判定し、こうして本考案がフラッシュメモリカード２００のカードデータ読み取りと選択的に二種類の異なるインタフェースに切り換えてカードデータを伝送する機能が達成される。
【００１５】
上述のカード読み取りコントローラー５０の形式は図４に示されるように、マイクロプロセッサ５１、カード読み取りユニット５２、ＵＳＢコントロールユニット５３、及びシリアルコントロールユニット５４で構成されるものに限定されず、ＡＳＩＣ或いはその他の単一集積回路形式で構成されうる。
【００１６】
図５は本考案のカードリーダー１００のインタフェース切り換え操作の制御フローチャートである。そのうち、
（５００）インタフェースの種類判断。即ち切り換えスイッチ４０の切り換え操作により、コントロールピン５１１の入力信号電位によりＵＳＢコネクタ２０或いはシリアルポート３０に接続するかを判断し、ＵＳＢインタフェースであれば、ステップ５１０を実行し、シリアルインタフェースであればステップ５４０を実行する。
（５１０）ＵＳＢカード読み取りモード実行。即ちマイクロプロセッサ５１によりカードデータをＵＳＢコントロールユニット５３に接続し、ＵＳＢコントロールユニット５３に接続されたＵＳＢコネクタ２０を通して第１電子装置３００に接続、伝送する。
（５２０）インタフェース状態を改変するかを判断。即ち、マイクロプロセッサ５１が随時該コントロールピン５１１の状態が改変されたかを走査し、即ち切り換えスイッチ４０の切り換え状態が改変されたかを走査し、もし改変されていれば、ステップ５００を重複して実行し、改変されていなければステップ５３０を実行する。
（５３０）ＵＳＢインタフェース接続状態を維持。即ちもとのＵＳＢインタフェース接続状態を維持し、並びにステップ５２０を重複して実行する。
（５４０）シリアルカード読み取りモード実行。即ち、マイクロプロセッサ５１によりカードデータをシリアルコントロールユニット５４に接続し、シリアルコントロールユニット５４に接続されたシリアルポート３０を通して第２電子装置４００に接続、伝送する。
（５５０）インタフェース状態を改変するかを判断。マイクロプロセッサ５１が随時コントロールピン５１１の状態が改変されたかを走査し、即ち切り換えスイッチ４０の切り換え状態が改変されたかを走査し、もし改変されていれば、ステップ５００を重複して実行し、改変されていなければステップ５６０を実行する。
（５６０）シリアルインタフェース接続状態維持。即ち、もとのシリアルインタフェース接続状態を維持し、並びにステップ５５０を重複して実行する。
【００１７】
更に図６及び図７の本考案のカードリーダー１００の二つの応用例図を参照されたい。そのうち、図６に示されるＵＳＢコネクタ２０は直接パソコン形式の第１電子装置３００のＵＳＢインタフェースコネクタ３１０に接続され、該切り換えスイッチ４０はＵＳＢインタフェースの操作位置に切り換えられ、カードリーダー１００がカードスロット１１に挿入されたフラッシュメモリカード２００のカードデータをＵＳＢコネクタ２０を通して第１電子装置３００に接続、伝送し、図７に示されるシリアルポート３０は、シリアルインタフェースケーブル６００を通して携帯電話形式の第２電子装置４００底部のシリアルインタフェースポート４１０に接続され、該切り換えスイッチ４０はシリアルインタフェースの操作位置に切り換えられ、カードリーダー１００がカードスロット１１に挿入されたフラッシュメモリカード２００のカードデータをシリアルポート３０を通して第２電子装置４００に接続、伝送する。
【００１８】
以上の図１から図７に示される本考案のダブルインタフェース切り換え式カードリーダーの説明及び図面は、本考案の技術内容及び技術手段を明らかにするために提示されたものであり、本考案の範囲を限定するものではない。且つ、本考案の構造に対する細部の修飾或いは改変、或いは同じ効果を有する装置との交換、置換であって、本考案の創作精神及び範疇より離脱しないものは、いずれも本考案の権利請求範囲に属するものとする。
【図面の簡単な説明】
【００１９】
【図１】本考案の立体外観構造図であり、ＵＳＢコネクタとシリアルポートの構造を示す。
【図２】図１に類似の立体外観構造図であり、カードスロットと切り換えスイッチの構造を示す。
【図３】本考案のシステムブロック図である。
【図４】本考案中のカード読み取りコントローラーの回路ブロック図である。
【図５】本考案のインタフェース切り換え制御フローチャートである。
【図６】本考案の応用例図である。
【図７】本考案の別の応用例図である。
【符号の説明】
【００２０】
１００  カードリーダー          １０  ケース
１１  カードスロット            １１１  コネクタ
２０  ＵＳＢコネクタ            ３０  シリアルポート
４０  切り換えスイッチ          ５０  カード読み取りコントローラー
５１  マイクロプロセッサ        ５１１  コントロールピン
５２  カード読み取りユニット    ５３  ＵＳＢコントロールユニット
５４  シリアルコントロールユニット  ２００  フラッシュメモリカード
３００  第１電子装置                ３１０  ＵＳＢインタフェースコネクタ
４００  第２電子装置                ４１０  シリアルインタフェースポート
５００  インタフェースの種類判断
５１０  ＵＳＢカード読み取りモード実行
５２０  インタフェース状態を改変するかを判断
５３０  ＵＳＢインタフェース接続状態を維持
５４０  シリアルカード読み取りモード実行
５５０  インタフェース状態を改変するかを判断
５６０  シリアルインタフェース接続状態維持
６００  シリアルインタフェースケーブル
ＶＣＣ  電源端子
【図１】
0003108898.tif 000003
【図２】
0003108898.tif 000004
【図３】
0003108898.tif 000005
【図４】
0003108898.tif 000006
【図５】
0003108898.tif 000007
【図６】
0003108898.tif 000008
【図７】
0003108898.tif 000009